(57)【要約】  本発明は、少なくとも１つの地糸（２）及び少なくとも１つの弾性糸（５）の複数のステッチを含む、少なくとも１つの伸縮部（４）を有する抑制生地に関し、前記伸縮部（４）の少なくとも一部の隣に抑制部（８）は伸び、そこでは、１つ又は複数の第１のステッチ（Ｐ１）のそれぞれで抑制糸（９）の浮き長さ（１０）が伸び、１つ又は複数の第２のステッチ（Ｐ２）のそれぞれで前記少なくとも１つの主糸（３）の浮き長さ（１０）が伸びるように、前記主糸（３）を含む前記第１のステッチ（Ｐ１）の第１の群（Ｇ１）は、前記抑制糸（９）を含む前記第２のステッチ（Ｐ２）の第２の群（Ｇ２）と交互になる。本発明は、前記生地を含有する抑制衣類、並びに生地及び衣類を製造する方法にも関する。
2021532278.tif 000002
【特許請求の範囲】
【請求項１】
複数のコース（Ｒ１、Ｒ２、…、Ｒｎ）を含み、少なくとも１つの地糸（２）及び少なくとも１つの弾性糸（５）の複数のステッチを含む、少なくとも１つの伸縮部（４）を有する抑制生地（１）であって、前記抑制生地の前記伸縮部（４）の少なくとも一部の隣に抑制部（８）が存在することを特徴とし、前記抑制部（８）では、１つ又は複数の第１のステッチ（Ｐ１）のそれぞれで、抑制糸（９）の浮き長さ（１０）が伸び、１つ又は複数の第２のステッチ（Ｐ２）のそれぞれで、少なくとも１つの主糸（３）の浮き長さ（１０）が伸びるように、前記主糸（３）を含む前記第１のステッチ（Ｐ１）の第１の群（Ｇ１）が、前記抑制糸（９）を含む前記第２のステッチ（Ｐ２）の第２の群（Ｇ２）と交互になる、抑制生地（１）。
【請求項２】
前記伸縮部の少なくとも一部は、２つの後続の弾性ステッチの間に伸びる弾性糸の長さを形成することにより、前記弾性糸が少なくとも前記地糸と共に編まれない１つ又は複数の浮きステッチ（７）と交互になる、少なくとも前記地糸と一緒に前記弾性糸（５）を編むことによって獲得された１つ又は複数の弾性ステッチ（６）を含み、好ましくは各後続のコース（Ｒ１、Ｒ２、…、Ｒｎ）で、同じ一連の弾性ステッチ（６）及び浮きステッチ（７）は、コースの前記弾性ステッチ及び前記浮きステッチが、リブを形成する前記前のコース及び後続のコースの前記弾性ステッチ及び前記浮きステッチと１列内に位置合わせされるように繰り返される、請求項１に記載の抑制生地（１）。
【請求項３】
前記第１の群（Ｇ１）の各々は、前記主糸を含む前記第１のステッチ（Ｐ１）の少なくとも１つを含み、前記第２の群（Ｇ２）の各々は、前記抑制糸（９）を含む前記第２のステッチ（Ｐ２）の少なくとも１つを含み、恐らく前記第１の群（Ｇ１）の各々は、前記主糸を含む少なくとも２つの第１のステッチ（Ｐ１）を含み、前記第２の群（Ｇ２）の各々は、前記抑制糸（９）を含む少なくとも２つの第２のステッチ（Ｐ２）を含む、請求項１又は２に記載の抑制生地（１）。
【請求項４】
前記主糸及び前記抑制糸は同じ型であり、同じ大きさを有し、或いは異なり、及び／又は異なる大きさを有し、恐らく前記抑制糸は、前記主糸の直径より大きい直径を有する、請求項１〜３のいずれか一項に記載の抑制生地（１）。
【請求項５】
前記第１の群（Ｇ１）の前記第１のステッチ（Ｐ１）の数、及び前記第２の群（Ｇ２）の前記第２のステッチ（Ｐ２）の数は、互いに同じ又は異なることが可能であり、異なるコース及び／又は同じコースで変化することができる、請求項１〜４のいずれか一項に記載の抑制生地。
【請求項６】
第１の中間半部（１６）及び第２の中間半部によって互いに接合した、少なくとも１つの上部（１４）及び１つの下部（１５）を含むニット衣類であって、前記衣類は、実質的に縫い目のない管状衣類であり、請求項１〜５のいずれか一項に記載の抑制生地（１）の少なくとも一部を含むことを特徴とする、ニット衣類。
【請求項７】
前記衣類は、使用者の関節上に着用する前記衣類から選択され、弾性足首ブレース（１１）、足首ブレースを備えた靴下（１２）、又は弾性膝ブレース（１３）などであることが可能である、請求項６に記載のニット衣類。
【請求項８】
前記第２の中間半部（１７）は袋として形作られ、前記抑制生地（１）は、前記上部（１４）、下部（１５）及び第１の中間半部（１６）で伸び、前記抑制部は、その上に前記抑制部が着用されなければならない前記関節の前記形成を辿るように形作られ、前記第２の中間半部を包囲する、前記第１の中間半部で互いに接合する上ストリップ（１８）及び下ストリップ（１９）を含み、前記上ストリップ及び下ストリップは、それに沿って前記コースが走る前記方向に対して、前記第１の中間半部に向かって少なくとも一部が傾斜して伸びる、請求項６又は７に記載のニット衣類。
【請求項９】
複数の初期コース（Ｒｉ）で、前記抑制部の範囲は、前記それぞれのコースのステッチの制限された量に対応し、各コースにおける前記抑制部の範囲は、少なくとも１つのコースの前記ステッチの少なくとも大部分の隣に伸びるまで、前記後続のコースで増加し、前記抑制部の範囲は低減し、次いで少なくとも１つのコースの前記ステッチの少なくとも大部分の隣に伸びるまで、前記第２の中間半部を包囲するように前記後続のコースで再度増加し、前記下部では各コースの前記抑制部の範囲は、複数の最終コース（Ｒｆ）で制限された量のステッチを含むまで、低減する数のステッチを含む、請求項６〜８のいずれか一項に記載のニット衣類。
【請求項１０】
前記衣類は、足首ブレースを備えた靴下（１２）であり、足の前部（２２）、つま先部（２３）、恐らく脚部（２１）及び恐らく最終縁部（２０）を含む、請求項４〜９のいずれか一項に記載のニット衣類。
【請求項１１】
一連のコースを含む抑制生地（１）を製造するための方法であって、前記方法は、前記コースの少なくとも一部の隣に、少なくとも１つの弾性糸（５）を編むことによって獲得された少なくとも１つの伸縮部（４）を作成するステップを含み、前記方法は、前記伸縮部の少なくとも一部の隣に少なくとも１つの抑制部（８）を作成するステップを含み、前記抑制部では前記抑制部は、１つ又は複数の第１のステッチ（Ｐ１）の第１の群（Ｇ１）が形成され、抑制糸を含む１つ又は複数の第２のステッチ（Ｐ２）の第２の群（Ｇ２）と交互になる主糸（３）を含むように、前記主糸を前記抑制糸と交互に編むことにもよって獲得されること、且つ前記主糸を含有する前記ステッチで、前記抑制糸の浮き長さ（１０’）が伸び、及び逆も同様に前記抑制糸を含有する前記ステッチで、前記主糸の浮き長さ（１０）が伸びることを特徴とする、方法。
【請求項１２】
連続して動く回転シリンダ（２４）を有するニットウェア及び靴下類用の環状機により、前記抑制生地（１）を製造するための請求項１１に記載の方法であって、前記回転シリンダは、複数の針（２５）を運ぶ往復運動で選択的及び回転式に活性化することができ、前記針は、前記針が編む少なくとも１つの糸を妨害する活性位置と、前記針が前記糸を妨害しない不活性位置との間で選択的に活性化することができ、前記方法は、以下のステップ、すなわち
ａ）各生地のコースで、伸縮部（４）を作成するために、前記生地の複数のコース（Ｒ１、Ｒ２、…、Ｒｎ）を形成するように、少なくとも１つの地糸（２）及び少なくとも１つの弾性糸（５）を前記回転シリンダの前記針で編むことと、
ｂ）前記コース（Ｒ１、Ｒ２、…、Ｒｎ）の少なくとも１つで、前記主糸を妨害しないために前記不活性位置に運ばれた第２の群の針（２８）と交互になる、前記主糸を妨害するために前記活性位置に運ばれた第１の群の針（２７）で、少なくとも１つの主糸（３）を編むこと、及び前記抑制糸を妨害しないために、前記不活性位置に運ばれた前記第１の群の針（２７）と交互になる、前記抑制糸を妨害するために前記活性位置に運ばれた前記第２の群の針（２８）で前記抑制糸を編むことと、
ｃ）前記伸縮部（４）の少なくとも一部の隣に抑制部を作成するために、複数の後続のコースのために前記ステップｂ）を抑制することと含み、
前記ステップａ）は、少なくとも１つの針を含む群の針（２７）が前記弾性糸を編み、これは、前記弾性糸を編まない少なくとも１つの針を含む群の針（２８）と交互になるように作動することができる、方法。
【請求項１３】
請求項１２に従って作成された抑制生地の少なくとも一部を含むニット衣類を製造するための方法であって、前記ステップａ）は、前記衣類の少なくとも一部の後続のコース（Ｒ１、Ｒ２、…、Ｒｎ）の隣に、伸縮部（４）の上部（１４）、第１の中間半部（１６）及び下部（１５）が形成され、ステップｂ’）は、複数の前記コース（Ｒ１、Ｒ２、…、Ｒｎ）の中間で、少なくとも前記地糸は、袋の形状を有する第２の中間半部（１７）を作成するために前記回転シリンダの前記針の一部で編まれる、方法。
【請求項１４】
前記衣類は使用者の身体の関節に関連するように適し、詳細には前記衣類は、弾性足首ブレース（１１）、弾性膝ブレース（１３）、又は足首ブレースを備えた靴下（１２）であり、前記方法は、このような衣類を作成するために必要な前記ステップを提供し、恐らく弾性縁部（２０）を前記衣類の１つ若しくは複数の前記端部に作成する前記ステップを含む、請求項１３に記載の方法。
【請求項１５】
前記衣類は足首ブレースを備えた靴下であり、足の前部（２２）、つま先部（２３）及び恐らく脚部（２１）を作成する前記更なるステップが提供される、請求項１３又は１４に記載の方法。
【請求項１６】
前記シリンダ針を適切に選択することにより、前記ステップｂ）及びｃ）は、それに沿って前記コースが伸びる前記方向に対して、どちらも傾斜した上ストリップ（１８）及び下ストリップ（１９）を含む抑制部を形成することと、それぞれが前記上部（１４）及び前記下部（１５）から前記第１の中心半部（１６）で接合するように前記第１の中心半部（１６）に向かって開始することと、前記第２の中間半部（１７）を包囲するように形作られることとを提供する、請求項１３〜１５のいずれか一項に記載の方法。
【発明の詳細な説明】
【技術分野】
【０００１】
本発明は、一般にニットウェアの分野に関し、詳細にはニット生地並びにニット衣類に関係する。本発明は、ニットウェア及び靴下類用の環状機により、そのような生地及び衣類を製造するための方法に更に関する。
【背景技術】
【０００２】
その上に抑制型生地を着用する、使用者の身体部を抑制する機能を発揮するのに適切な抑制型生地が公知である。
【０００３】
具体的には、弾性足首ブレース、弾性膝ブレースなどのような整形外科若しくは抑制機能を有する、使用者の関節又は他の身体部に着用する衣類も公知である。そのような衣類は、関節又は衣類が関連するどのような身体部も適正位置に保つように形作られて設計された弾性部を有し、従って外傷を引き起こす可能性のある誤った動きを防ぎ、予防作用及び関節の主に横方向の持久力を損なう外傷時の両方のために着用することができる。
【０００４】
これらの衣類は、通常中間部を露出する弾性十字ストリップを含み、又はいずれにしても関節を動かすことができるために、より伸長可能な中間部を含む。
【０００５】
今までに実施されたように、このような衣類の特徴は互いにいくつかの部分を接着するため、具体的には弾性ストリップを互いに接着するために縫い合わせるが、このような縫い合わせは、具体的には衣類が皮膚を加圧するので、一旦衣類を着用すると不快である。
【０００６】
加えて例えば足首ブレースの場合、足首ブレースは通常靴下の下に着用し、従って足首ブレースは、履物を着用しなければならない場合に、非常に不快になる可能性がある二重の負担を構成する。
【０００７】
一方、土踏まずの腫れ、衰弱若しくは炎症、又は踵の痛みの場合に助けるために、使用者の足に異なる圧迫を加える役に立つ、段階的圧迫靴下も公知である。
【０００８】
このような衣類は、扱う足部を支えるために円周弾性ストリップを含む。しかしこのような衣類は、衣類が関連する関節、詳細には足首にいかなる支持も提供しない。事実、このような衣類は、衣類の残余部を作成する糸と一緒に又は代替として、弾性を備えた生地を提供するために弾性糸を編んだ部分を有するに過ぎない。弾性糸は、本来伸長可能であり変形可能であり、従ってこのような部分は、関連する身体部を圧迫するが、いかなる抑制機能及び動きを抑制する機能も持たない。
【０００９】
また、抑制生地は、通常他の糸と組み合わせて編んだ弾性糸を単に追加することによって作成される。
【００１０】
使用者の脚及び足の前部に着用するために、通常その部分に配置された補強部を含む、靴下などのようなニットの衣類も同様に存在する。このような補強は、可能な衝撃に対して足を保護するため、又はブーツ若しくはブーティなどの硬い履物内に着用する時に、１つ又は複数の糸を編むこと、及び靴下の残余部より厚い層を作成する唯一の機能を有することによって獲得されたパイル編を有して通常編まれる。
【発明の概要】
【発明が解決しようとする課題】
【００１１】
本発明は、弾性だが抑制効果も有し、従って着用時に支持を提供するのに適したニット生地の織物を提供することにより、公知の技術の欠点を補償する目的を持って設計されている。
【００１２】
更なる目的は、関節自体を適正位置に保つことにより、使用者の動きを抑制及び制限するために、使用者の足首、膝、肘、手首などの関節に着用するように適合された、そのアセンブリに実質的に縫い目がない管状のニット衣類を提供することである。
【００１３】
更なる目的は、具体的には快適で、恐らくつま先を閉じるための縫い目を除いて縫い目がない、弾性足首ブレースを埋め込むストッキング状又は靴下状衣類を提供することである。
【課題を解決するための手段】
【００１４】
このような目的は、少なくとも１つの地糸及び１つの弾性糸を編むことによって獲得された弾性ステッチを含む、少なくとも１つの伸縮部を有する、請求項１に記載のニット生地によって達成される。
【００１５】
本発明によれば、伸縮部は、抑制糸を含むステッチにおいて主糸の浮き長さが形成され、及び逆も同様であるように、抑制糸を少なくとも１つの主糸とも交互に編むことによって獲得されたステッチを含む、少なくとも１つの抑制部を有する。
【００１６】
好ましくは、抑制部に編んだ主糸は、伸縮部の残余部にも、更により好ましくはニット生地全体にも編まれる。
【００１７】
好都合なことに、第１の主糸の代わりに又は追加として、ニット生地の抑制部及び／若しくは残余部に編むために、少なくとも１つの第２の主糸も存在してもよい。
【００１８】
好ましい解決策では、前記伸縮部は、弾性糸を編むステッチを含み、そのステッチは、弾性糸が浮くことができる、すなわち弾性糸は編まれず、従って管状生地のいわゆる裏側から見えて、自由に伸びる弾性糸の長さを形成し、こうして面と呼ばれる生地の反対側に見える、いわゆる「モックリブ」ニットを形成するステッチと交互になる。例えば少なくとも１つの弾性ステッチ、すなわち弾性糸を含むステッチは、弾性糸は浮いたままである少なくとも１つの非弾性糸と交互になる。このようにして浮く弾性糸は、弾性ステッチの２つの連続した群を近づけることを目的とし、こうしてリブニット効果を持つストッキングを提供する。用語「リブニット」とは、通常平編みを裏編みと交互にすることによって獲得されるニットを意味する。
【００１９】
好都合なことに、伸縮部のステッチの一部で、主糸及び抑制糸も、生地の裏側に浮き糸の長さを作成するように互いに交互に編まれる。直線長さである浮き糸長さは、湾曲を形成する編んだ脅威の長さ、又はステッチ自体を構成するループより、本来伸びることができず、従って浮き糸長さを含むニットはほとんど伸びることができず、抑制効果をもたらす。従って弾性糸のモックリブを含む弾性部は、弾性を持つニット生地を提供する一方で、浮きステッチを形成することにより、主糸を抑制糸と交互に編む組合せは、このような弾性を低減する一方で、関節に所望の支持を提供する。
【００２０】
前記主糸及び抑制糸は、類型及び／又は大きさの観点から等しいことが可能であるが、好ましくは異なる大きさを有し、好都合なことに抑制糸はより高い線密度、好ましくは抑制糸の線密度の２倍を有することができる。用語「線密度」とは、糸径に関した量を意味する。換言すると、抑制糸の直径は主糸の直径の約２倍であり、又はその逆も同様である。
【００２１】
好ましい解決策でニット生地の少なくとも一部では、抑制部は主糸の少なくとも２つのステッチを含み、そのステッチは、少なくとも２つのステッチの隣に伸びる浮き糸の長さを形成するために、抑制糸の少なくとも２つのステッチと交互になる。このような配置は、選択２：２と定義される。しかしその支持及び弾性圧迫特性を保持する生地を依然として有することができる、１：１、２：１、２：３、３：２、４：２、その他などの他の選択も可能である。
【００２２】
具体的には、生地は、生地自体の異なる領域に対して異なる抑制の程度の余裕があるために、異なる選択を有する抑制部を含むことができる。
【００２３】
好都合なことに、前記主糸及び抑制糸は互いに交互に働き、生地自体の伸長性を低減するように生地の裏側に浮き糸長さを作成するために、それぞれの生地の抑制部内で切断されない。少なくとも抑制糸は、その代わりに各抑制部の縁部で切断することができる。
【００２４】
好ましくは、このようなニット生地は、複数のコースから成る管状形状を有し、異なる直径及び／又は大きさに作成することができる。用語「コース（course）」では、ニット生地の横方向に伸びるステッチのそれぞれの線を含むステッチの段を意味する。
【００２５】
好都合なことに、前記ニット生地は、足首、膝、肘、その他などの関節上に着用する衣類の一部であることが可能である。
【００２６】
従って本発明は、関節を抑制するために、弾性糸を編むことによって獲得された伸縮部、及び伸縮部の少なくとも一部の隣に伸び、抑制糸のステッチと交互になる主糸のステッチを含む抑制部を含む、請求項６に記載のニット生地にも関する。このようにして、抑制糸の長さは主糸のステッチの背後に伸びる一方で、主糸の長さは抑制糸のステッチの背後に伸びる。
【００２７】
詳細には、このような衣類は管状形状を有し、少なくとも１つの上部、１つの第１の中間半部、１つの第２の中間半部及び１つの下部を含む。
【００２８】
好都合なことに、抑制部は、前記上部及び下部の一部の隣、並びに前記第１の中間半部の少なくとも一部の隣に伸びる。
【００２９】
好ましくは、抑制部は、それが関連する手足の形状を辿り、通常の関節の動きを可能にするために、衣類の第１の中間半部で傾斜して伸び、互いに接合する上ストリップ及び下ストリップを含む。
【００３０】
好都合なことに、第２の中間半部は、使用者の踵、膝又は肘を収容するために袋として形作られる。尚より好都合なことに、抑制部及び恐らく伸縮部も、その動きを抑制せず、関連する身体部を圧迫して煩わさないために、第２の中間半部で伸びない。
【００３１】
衣類は、弾性足首ブレース、足首ブレースを備えた靴下、弾性膝ブレースなどであることが可能である。
【００３２】
このような衣類では、少なくとも抑制部で編む主糸は、衣類の残余部内でも使用することができ、又は別法として若しくは追加として、少なくとも１つの第２の主糸は、衣類の残余部に提供することができる。
【００３３】
好都合なことに、足首ブレースを備えた靴下は、弾性足首ブレースが衣類自体の一部であるので非常に快適である。従ってこのような衣類は、単一の生地層に靴下及び弾性足首ブレースの二重機能を有し、こうして足首ブレース及び靴下の両方を着用しなければならない時に、通常は避けられない厄介な衣類の重なりを回避する。
【００３４】
好都合なことに、弾性膝ブレースも、タイツ又はレギンスなどのより広範囲の衣類の一部であることが可能であり、同じように、肘ブレースは袖などの一部であることが可能である。
【００３５】
本発明は、伸縮部及び抑制部を備えたニット生地を実現するための請求項１１に記載の方法、並びに抑制効果を有する伸縮衣類を製造するための請求項１３に記載の方法にも関する。
【００３６】
詳細には、方法は、生地又は衣類を構成する部分を作成するために必要なステップ、並びに弾性糸を編むことによる伸縮部、及び伸縮部の少なくとも一部の隣に伸びる少なくとも１つの抑制部を作成するための追加のステップを含み、伸縮部は、主糸を含むステッチが抑制糸を含むステッチと交互に形成されるように、且つ主糸を含有するステッチにおいて抑制糸の浮き長さが伸び、及び逆も同様に抑制糸を含有するステッチにおいて主糸の浮き長さが伸びるように、主糸と抑制糸を互いに交互に編むことにもよって獲得される。
【００３７】
しかし本発明は、添付の表示し非限定的な図面を参照に、以下に説明を更に描く。
【図面の簡単な説明】
【００３８】
【図１】両側から見た、本発明によるニット生地を概略的に示す。
【図１ａ】図１ａは、図１において囲まれたニット生地の一部のステッチの配列を示す。
【図２】両側から見た、本発明によるニット生地を概略的に示す。
【図２ａ】図２ａは、図２において囲まれたニット生地の一部のステッチの配列を示す。
【図３ａ】図１のニット生地の２つの異なる部分のコースの一部を示す。
【図３ｂ】図１のニット生地の２つの異なる部分のコースの一部を示す。
【図４】弾性足首ブレースの形状を有する衣類の斜視図を示す。
【図５】弾性足首ブレースの一部を含む靴下の形状を有する衣類の実施形態を示す。
【図５ａ】図５ａは図５の衣類の一部の表側からの図を示す。
【図５ｂ】図５ｂは図５の衣類の一部の裏側からの図を示す。
【図６】弾性足首ブレースの一部を含む靴下の形状を有する衣類の実施形態を示す。
【図６ａ】図６ａは図６の衣類の一部の表側からの図を示す。
【図６ｂ】図６ｂは図６の衣類の一部の裏側からの図を示す。
【図７】弾性足首ブレースの一部を含む靴下の形状を有する衣類の実施形態の外側からの図を示す。
【図７ａ】図７ａは図７の衣類の一部の表側からの図を示す。
【図７ｂ】図７ｂは図７の衣類の一部の裏側からの図を示す。
【図８】弾性足首ブレースの一部を含む靴下の形状を有する衣類の実施形態の外側からの図を示す。
【図８ａ】図８ａは図８の衣類の一部の表側からの図を示す。
【図８ｂ】図８ｂは図８の衣類の一部の裏側からの図を示す。
【図９】弾性膝ブレースの形状を有する衣類の斜視図を示す。
【図１０】本発明による、ニット生地及び衣類を作成するためのニットウェア及び靴下類用の環状機の一部を示す。
【発明を実施するための形態】
【００３９】
図１及び２では、本発明によるニット生地が、番号１によって全体的に示されている。
【００４０】
ニット生地は、少なくとも１つの地糸２及び少なくとも１つの主糸３を編むことによって獲得した複数のコースＲ１、Ｒ２、…、Ｒｎを含み、少なくとも地糸２及び少なくとも１つの弾性糸５を一緒に編むことによって、又は弾性ステッチ６と称される一部のステッチにおいて、弾性糸は少なくとも地糸と共に編むことになる一方で、浮きステッチ７と称される他方のステッチでは、弾性糸は編まれず、従って浮いたままである弾性糸の長さを形成するように、弾性糸を編むことによって獲得した少なくとも１つの伸縮部４を含む。
【００４１】
好ましくは、それぞれの後続のコースＲ１、Ｒ２、…、Ｒｎで、同じ一連のステッチは、１コースの弾性ステッチ及び浮きステッチが、列を形成するように前のコース及び後続のコースの弾性ステッチ及び浮きステッチに位置合わせされるように反復される。
【００４２】
図に示された好ましい解決策では、ニット生地１の各コースで、弾性ステッチは、いわゆる選択１：１で浮きステッチと交互になる。
【００４３】
本発明によれば、伸縮部の少なくとも一部で、抑制部８も、主糸３及び少なくとも１つの抑制糸９を編むことによっても獲得される。
【００４４】
抑制部では、主糸３及び抑制糸９は、主糸３の１つ又は複数の第１のステッチＰ１の第１の群Ｇ１において、抑制糸９の浮き長さが存在し、及び逆も同様に抑制糸９の１つ又は複数の第２のステッチＰ２の第２の群Ｇ２において、主糸３の浮き長さが存在するように、互いに交互に編まれる。
【００４５】
主糸及び抑制糸は、それぞれが少なくとも１つの平編みステッチの後に少なくとも１つの浮きステッチを含む、それぞれの一連のステッチを形成する。用語「平編みステッチ」とは、糸が前のコースの対応するステッチと共に編まれるステッチを意味するのに反して、「浮きステッチ」とは、糸が前のコースの対応するステッチと共に編まれないステッチを意味し、従って同じ糸の２つの後続のステッチの間に伸び、ニット生地のいわゆる裏側から見える、浮き糸１０、１０’の長さに由来する。
【００４６】
好ましくは、抑制部の少なくとも一部は、主糸の２つのステッチＰ１の後に抑制糸の２つのステッチＰ２が続き、以下同様に続くように、また、主糸の２つのステッチＰ１では、浮き抑制糸１０’の長さが形成されるのに反して、抑制糸の２つのステッチＰ２では、浮き主糸１０の長さが形成されるように、主糸及び抑制糸を編むことによって獲得される。換言すると、それぞれの主糸及び抑制糸に対して、ステッチ及び浮きステッチは選択２：２に従って交互になる。
【００４７】
主糸及び抑制糸の浮きステッチは、平編みステッチより伸び難く、従って所望の抑制効果を提供するために伸縮部の伸縮性を低減する。他の選択、例えば１：１、１：３、２：２、２：１、２：４、その他による、異なる代替ステッチ及び浮きステッチにより、異なる抑制能力及び強度を有する生地が獲得できる。選択の種類は、異なるコースの間又は同じコース内でも変化することができる。
【００４８】
図４〜８に示されたように、ニット生地１は、抑制効果を持つ衣類自体を提供するような衣類の一部であることが可能である。詳細には、衣類は、関節を支えて支援する目的を有する整形外科型衣類である。より詳しくは、衣類は、弾性足首ブレース１１の形状、足首ブレースを備えた、すなわち弾性足首ブレースとして作用する一部を含む、ストッキング若しくは靴下１２の形状、又は弾性膝ブレース１３の形状、或いは示されていない弾性手首ブレース、弾性肘ブレースなどの形状も有することができる。
【００４９】
換言すると、ニット生地は、実質的に管状衣類に埋め込み、単一片、すなわち恐らく最終縫い目を除いて縫い目なしに形成することができ、これは、使用者の足首、膝、手首、肘又は他の関節に着用するように異なる直径及び／又は形状を有し、従ってその通常の動きは可能だが、外傷を引き起こす可能性がある誤った捻り、又は関節が単に外傷の結果として受ける可能性がある誤った捻りを防ぐように、関節自体の拘束をもたらす。
【００５０】
詳しくは、図４に示された弾性足首ブレース１１、図５、６、７及び８の足首ブレースを備えた靴下１２、並びに図９の弾性膝ブレース１３は、第１の中間半部１６及び第２の中間半部１７によって互いに接合された、上部１４並びに下部１５を含む。第２の中間半部１７は、衣類の型に依存して、使用者の踵又は膝蓋骨のそれぞれを収容できるために袋状に形作られる。
【００５１】
各衣類の上部、下部及び第１の中間半部の少なくとも一部は、前に記載されたニット生地に類似したニット生地の一部、及び詳細には抑制部８を備えた伸縮部４を含む。
【００５２】
詳しくは、抑制部は、その通常の動きを可能にするために、その上に抑制部を着用しなければならない関節の形成を辿るように形作られる。詳細には、抑制部は、第１の中間半部で互いに接合する上ストリップ１８及び下ストリップ１９を含む。好ましくは、このような上ストリップ及び下ストリップは、衣類を横に見た時に、その内側に第２の中間半部が存在する一種のＶ字形、換言すると、第２の半部を囲むＶ字形の２つのアームが形成されるように、上部及び下部の横方向に対して少なくとも一部が傾斜して伸びるように形作られる。好ましくは、前記２つのアームは、それらの自由端部で内方に湾曲する。
【００５３】
従って抑制部は、全体的に見て足部及び関連する関節の周りに巻き付ける一種のコイルを形成し、衣類の型に依存して踵又は膝蓋骨をそれぞれ自由にさせる。
【００５４】
好ましくは、こうして初期コースＲｉでは、抑制部は、使用者の脚の背部上、及び使用者の足の扁平骨の一部上に着用するので、弾性足首ブレース及び足首ブレースを備えた靴下の場合に背部と呼び、又は脚の前部上に着用するので、弾性膝ブレースの場合に前部と呼ぶことができる、衣類自体の一部で限られた量のステッチのみに沿って伸び、それぞれの後続のコースで、抑制部を構成するステッチの量は、好ましくは少なくとも１つのコースの全てのステッチで伸びる抑制部を有するまで増加し、そのコースで第１及び第２の半部では、抑制部は第１の半部のみで伸び、例えば踵又は膝蓋骨で伸びず、最後に下部では、抑制部は徐々に狭まり、抑制部はその最終コースＲｆで極めて小さい数を含むまで低減する数のステッチを含むことを意味する。
【００５５】
好ましくは、その上に抑制部を着用しなければない解剖的部位の形状を良好に辿るために、且つその抑制作用を良好に発揮するために、抑制部は、浮きステッチ、並びに可変選択に従って互いに交互になる主糸及び抑制糸のステッチを有し、従って抑制部は、抑制部全体に対して及び／又は各コース内で一定ではない。
【００５６】
図４に示された好ましい解決策では、踵に近い足部上に着用する部分に、各糸のより大きい数の一連のステッチに続いて、小さい数のステッチのみが浮きステッチと交互になる衣類の残余部で低減する同じ糸の浮きステッチが存在することが可能である。
【００５７】
図５、６、７は、抑制部が示された足首ブレースを備えた靴下の可能な実施形態の３例を示し、主糸のステッチは、異なる抑制効果及び／又は美的効果を有するために、図５ａ、６ａ、及び７ａにより良好に描かれた異なる選択に従って、抑制糸のステッチと交互になる。
【００５８】
主糸及び抑制糸は、同じ線密度又は異なる線密度を有することができ、好ましくは、抑制糸はより大きい直径、更に主糸の直径の２倍を有する。事実このようにして、抑制部に配置された強い抑制効果が獲得されるのに反して、残余部は、より軽く、より薄く、具体的には衣類の快適性を増加してより容易に着用できるために弾性である。
【００５９】
主糸及び抑制糸は、衣類の残余部に対して抑制部を際立たせるように、異なる色を有することができる。
【００６０】
伸縮部は、抑制部も存在するコースで、若しくはより大きい数のコースに対して、又は尚更に衣類全体に沿って伸びることしかできない。
【００６１】
加えて衣類は、衣類の正しい着用を保持するために、その端部の一方又は両方に、靴下の場合は一方だけに、弾性縁部２０を有することができる。
【００６２】
詳細には、図４の弾性足首ブレースを参照すると、上部は使用者の脚の端部上に着用し、下部は使用者の足の第１の部分上に着用し、第１の中間半部は甲上に着用するように設計され、第２の中間半部は使用者の踵自体を収容するために袋状に設計される。
【００６３】
図５、６及び７に足首ブレースを備えた靴下１２の例が示されており、各々は前に記載した機能のような足首ブレースの機能を有する部分を含む。
【００６４】
前に記載した衣類に関して、靴下は、恐らく脚部２１、足の前部２２及びつま先を取り囲むためのつま先部２３も含む。
【００６５】
この場合、最終弾性縁部２０は、脚部の端部と組み合わされる。脚、足の前部及びつま先部は、通常靴下内に存在するあらゆる編地を有することができる。
【００６６】
図８に示された弾性膝ブレース１３は、弾性足首ブレース１１の織り目に類似した織り目を有するが、より大きい直径及び使用者の膝上に着用するのに適した形状を有する。
【００６７】
衣類の直径及びコースの数に基づいて、衣類は肘、手首などに関連するためにも適することが可能である。
【００６８】
ニット生地１及び衣類１１、１２及び１３は、好ましくは往復運動において選択的及び回転式に活性化することができる、連続して動く回転するシリンダ２４を有するニットウェア及び靴下類用の環状機によって作成され、シリンダ２４は複数の針２５を運び、針２５は、針２５が編む少なくとも１つの糸を妨害する活性位置と、針２５が前記糸を妨害しない不活性位置との間で選択的に活性することができる。環状機は、針に少なくとも１つの地糸、少なくとも１つの主糸、少なくとも１つの弾性糸及び少なくとも１つの抑制糸を供給するために、通常糸指２６と呼ばれる供給手段を更に備える。
【００６９】
方法は、少なくとも１つの伸縮部４を含むニット生地を作成するために、均一及び／又は往復する円運動により、少なくとも地糸及び弾性糸を編むこと、並びにニット生地のコースの少なくとも一部の隣に抑制部８として画定された生地部を獲得するために、主糸及び抑制糸を主糸と交互に編むことにより、複数のステッチコースを作成することを提供し、抑制部８では、主糸を編むこと及び第１の抑制糸を編まないことによって獲得されたステッチが、抑制糸を編むこと及び主糸を編まないことによって獲得されたステッチと交互になる。それによって主糸を含むステッチに浮き抑制糸１０’の長さ、及び抑制糸を含むステッチに浮き主糸１０の長さが形成される。
【００７０】
詳しくは、方法は以下のステップ、すなわち
ａ）各生地のコースで、回転シリンダの針で少なくとも１つの地糸２を編むこと、及び少なくとも１つの針の群が、生地の複数のコースＲ１、Ｒ２、…、Ｒｎを形成するために、前記弾性糸を編まない少なくとも１つの針の群と交互になる前記弾性糸を編むように、１つの弾性糸５を編むことと、
ｂ）前記コースＲ１、Ｒ２、…、Ｒｎの少なくとも１つで、主糸３を妨害しないために不活性位置に運ばれた第２の群の針２８と交互になる、主糸を妨害するために活性位置に運ばれた第１の群の針２７で主糸を編むこと、及び不活性位置に運ばれた第１の群の針２７と交互に、活性位置に運ばれた第２の群の針２８で抑制糸９を編むことと、
ｃ）抑制部を作成するために、後続のコースで点ｂを抑制することを提供する。
【００７１】
このようにして、主糸を妨害する第１の群の針は抑制糸を妨害せず、逆も同様に第２の群の針は主糸を妨害しないが、抑制糸を妨害する。
【００７２】
これは、その少なくとも一部上に、図１及び１ａに示されたように、２つの異なる糸の一連のステッチによって画定された抑制部も含む、伸縮ニット生地を形成することができ、図１及び１ａには、生地のいわゆる前面側から見た、抑制糸のステッチＰ２と交互になる、主糸のステッチＰ１が示されている。図２及び２ａは、裏面と言われる生地の反対側から見た前述のステッチを示し、このような図では、主糸及び抑制糸の浮き長さ１０、１０’が見られる。
【００７３】
第１の群の針２７及び第２の群の針２８のどちらも、各々が少なくとも１つの針を含むべきである。第１及び第２の群の針が２つの針を含む場合、抑制糸を反らすことにより主糸を編む２つの針があり、その後に主糸を反らすことにより抑制針を編む２つの針が続き、それらの次に抑制糸を反らすことにより主糸を編む２つの針に続き、選択２：２に従って以下同様に続く。
【００７４】
しかし前記第１及び第２の群はより多数の針を含んでもよく、それらの中で、並びに同じコース又は異なるコースの異なる第１及び第２の群の両方で、異なる数の針を有することができ、こうして第１の群の針は全てが等しいことが可能であり、各々は同数の針を含み、第２の群は全てが等しいことが可能であり、各々は第１の群の針と等しい若しくは異なる同数の針を含み、さもなければ手足の形状に適合し、その上に着用する身体部に適する抑制効果を有する形状を備えた抑制部を形成するために、同じコース内に異なる数が存在する。
【００７５】
好ましくは隣接コースで、１コースにおいて主糸を妨害するが抑制糸を妨害しない第１の群の針、及び主糸を妨害しないが抑制糸を妨害する第２の群の針は、後続のコースでは、前のコースの第１の群の針の少なくとも一部の針が、後続のコースの第２の群の針に属し、主糸を妨害しないが抑止糸を妨害し、第２の群の針の少なくとも一部の針が、主糸を妨害するが、抑制糸を妨害せず、以下同様に続いて図に示された型の抑止部を作成するように、前の群に対して少なくとも一部がずれることができる。
【００７６】
前記の生地は、使用者の身体の関節上に着用する抑制衣類の一部であることが可能である。
【００７７】
このような場合に、このような衣類を実現するための方法も以下のステップ、すなわち
複数の前記コースＲ１、Ｒ２、…、Ｒｎの中間で、袋の形状を有する第２の中間半部１７を作成するために、少なくとも地糸及び主糸を往復運動で活性化される回転シリンダの針の一部で編むことを提供する。
【００７８】
好ましくは、シリンダ針を適切に選択することにより、抑制部を形成するために必要なステップは、どちらもコースの方向に対して傾斜した上ストリップ１８及び下ストリップ１９を含む抑制部を形成することを提供し、それぞれは上部及び下部から始まって第１の中心半部を接合するように第１の中心半部に向かう。
【００７９】
好都合なことに、また、関連しなければならない足の形状に適合するために、抑制部の開始及び終了部は、低減した数の第１及び第２の群の針で作成される。
【００８０】
詳細には、このようなステップは以下のように実行される、すなわち
伸縮部の開始部の初期コースＲｉで、前記第１の群の針２７及び第２の群の針２８が回転シリンダの針の小さい部分のみを含むように、限定された数の前記第１及び第２の群の針を活性化することと、
後続のコースで、回転シリンダの針の大部分、又は好ましくは全てが、前記第１又は第２の群の針の一方に属するまで、前記第１及び第２の群の針の数を増加することと、
第２の中心半部を構成する回転シリンダの針の少なくとも一部が含まれないように、第１及び第２の群の針の群の数を低減することと、
後続のコースで、回転シリンダの針の大部分、又は好ましくは全てが、前記第１又は第２の群の針の一方に属するまで、前記第１及び第２の群の針の数を増加することと、
前記第１及び第２の群の針の数を再度低減することと、
伸縮部の最終部の最終コースＲｆで、前記第１の群の針２７及び第２の群の針２８が回転シリンダの針の小さい部分のみを含むように、限定された数の前記第１及び第２の群の針を活性化することが実行される。
【００８１】
異なる糸及び／又は異なる直径若しくは細さの靴下類又はニットウェア用の機械を使用することにより、弾性足首ブレース１１、足首ブレースを備えた靴下１２、弾性膝ブレース１３などのような、異なる測定値及び大きさの抑制衣類の異なる型を獲得することができる。事実、肘又は手首上に着用するように適合された衣類も獲得することができる。
【００８２】
獲得された衣類は、衣類が靴下である場合に、つま先の縫い目などの恐らく最終の縫い目を除いて、実質的に縫い目がない。
【００８３】
方法は、衣類若しくはその端部と組み合わせる１つ又は２つの弾性最終縁部２０を作成するためにも必要な、本来公知のステップを提供することができる。
【００８４】
足首ブレースを備えた靴下の形状を有する衣類の場合、方法は、靴下のつま先２３を形成するために必要なステップ、及び恐らく環状機に直接実行するため又は後続の作動と共につま先自体を縫うステップも提供する。このような衣類では、抑制部は、足首ブレースを備えた靴下の一部のみで伸びることができる一方で、伸縮部４は、足の前部２２及び／又は存在する場合に脚部２１、及び／又はつま先部２３などの残余部でも伸びることができる。
【図１−１ａ】
2021532278.tif 000003
【図２−２ａ】
2021532278.tif 000004
【図３ａ】
2021532278.tif 000005
【図３ｂ】
2021532278.tif 000006
【図４】
2021532278.tif 000007
【図５】
2021532278.tif 000008
【図５ａ】
2021532278.tif 000009
【図５ｂ】
2021532278.tif 000010
【図６】
2021532278.tif 000011
【図６ａ】
2021532278.tif 000012
【図６ｂ】
2021532278.tif 000013
【図７】
2021532278.tif 000014
【図７ａ】
2021532278.tif 000015
【図７ｂ】
2021532278.tif 000016
【図８】
2021532278.tif 000017
【図８ａ】
2021532278.tif 000018
【図８ｂ】
2021532278.tif 000019
【図９】
2021532278.tif 000020
【図１０】
2021532278.tif 000021
【国際調査報告】
2021532278.tif 000022
2021532278.tif 000023